(57)【特許請求の範囲】
【請求項１】
マチ部を有する下着本体と、マチ部の内面に設けられた吸水部材とを有する失禁用の下着であって、
上記吸水部材は、
裏面が上記マチ部の内面と対向するように配置された吸水シートと、
吸水シートの裏面全体及び表面の側縁部を覆うように当該吸水シートに固定された防水シートと、
一端縁部が吸水シートの上記側縁部に沿って固定されると共に他端縁部が上記下着本体に固定された固定シートとを備え、
上記固定シートは撥水性を有し、当該固定シートの一端縁部は、上記吸水シートの表面の側縁部と上記防水シートとの間に挟み込まれている下着。
【請求項２】
上記吸水シートは、上記マチ部と略相似形に形成され且つその裏面全体及び表面の周縁部が上記防水シートによって覆われており、
上記吸水シートの前縁部及び後縁部は、上記下着本体に対して固定されていない請求項１に記載の下着。
【請求項３】
上記吸水シートは、コアシート及びコアシートと共に積層されたアウターシートを含む多層構造を有し、
コアシートは、アウターシートと上記防水シートとの間に挿脱可能に挿入保持されている請求項１または２に記載の下着。
【発明の詳細な説明】
【技術分野】
【０００１】
本発明は、下着、特に失禁に悩む人用の下着に関するものである。
【背景技術】
【０００２】
近年、失禁に悩む人が増えている。失禁は、本人にとっては外出さえも躊躇するほどの深刻な症状である。しかし、失禁症状がある人でも、適切な下着を選択することによって外出等を安心して行うことができる。そのため、従来から、失禁症状のある人用に種々の下着が提供されている。
【０００３】
失禁用の下着に要求される主な機能は、いわゆる横漏れ防止機能である。従来から提供されている失禁用の下着は、主としてこの横漏れ防止をいかに効果的に行うかの観点から開発されたものである。そして、従来の下着では、かかる機能を向上させるために、下着を構成する生地に工夫がなされており、例えばキルティング加工された生地や、吸水性に優れる厚手の生地等が開発されている。さらに、生地の改良に加えて、下着の構造が改良されることによって、上記横漏れ防止機能がますます強化されている（例えば、特許文献１参照）。
【０００４】
【特許文献１】特開２００４−１１０７３公報
【発明の開示】
【発明が解決しようとする課題】
【０００５】
本発明は、かかる背景のもとになされたものであり、本発明の目的は、従来のものに比べてさらに優れた横漏れ防止機能を発揮する失禁用の下着を提供することである。
【課題を解決するための手段】
【０００６】
いわゆる横漏れを防止するために従来から採用されている手段は、主として下着のマチ部の吸水性を向上させることであった。ところが、マチ部の吸水性が如何に向上されようとも、マチ部が水分を含んている以上、当該水分がマチ部から外部へ漏れにくくなるだけであり、当該水分が外部へ漏れてしまうことが確実に阻止されるものではない。本願発明者は、この点に着目し、マチ部が下着本体に対して液密的に取り付けられれば、上記目的が達成されると考えた。
【０００７】
(1) そこで、上記目的が達成されるため、本発明に係る下着は、マチ部を有する下着本体と、マチ部の内面に設けられた吸水部材とを有する失禁用の下着であって、上記吸水部材は、吸水シート、防水シート及び固定シートを備える。吸水シートは、その裏面が上記マチ部の内面と対向するように配置される。防水シートは、吸水シートの裏面全体及び表面の側縁部を覆うように当該吸水シートに固定されている。固定シートは、その一端縁部が吸水シートの上記側縁部に沿って固定されると共にその他端縁部が上記下着本体に固定されている。上記固定シートは撥水性を有し、当該固定シートの一端縁部は、上記吸水シートの表面の側縁部と上記防水シートとの間に挟み込まれている。
【０００８】
この発明によれば、水分を吸収する吸水シートは、その裏面全体及び表面の側縁部を防水シートで覆われている。具体的には、防水シートは、吸水シートの裏面を覆い、且つ吸水シートの側縁部を包むように吸水シートの表面の側縁部を覆う。このとき、吸水シートの表面側に配置された防水シートと吸水シートの側縁部とが縫い付けられることによって、防水シートは確実に吸水シートに固定される。もっとも、吸水シートと防水シートとは、例えば接着剤等によって固着されていてもよい。この防水シートによって覆われた吸水シートは、固定シートを介して下着本体に固定される。固定シートの他端縁部は、例えば下着本体に縫い付けられる。これにより、防水シートによって覆われた吸水シートは、確実に下着本体に固定される。
【０００９】
吸水シートがその表面から水分を吸収した場合であっても、吸収シートの裏面全体が防水シートによって覆われているので、吸水シートの裏面側から水分が外部に漏れることはない。また、吸水シートの側縁部も防水シートによって覆われているので、吸水シートの側縁部から水分が外部に漏れることはない。
【００１０】
前述のように防水シートと吸水シートとが縫い付けられることによって縫い目が形成される。しかし、吸水シートの裏面全体が防水シートによって覆われており、しかもこの裏面側に配置された防水シートには上記縫い目が形成されていない。したがって、吸水シートが吸水した水分が上記縫い目から防水シートを通って外部に漏れることはない。また、固定シートが下着本体に縫い付けられた場合であっても、吸水シート及び防水シートは下着本体に縫い付けられていないから、縫い目から水分が漏れることもない。
【００１１】
つまり、この吸水シートは、防水シートによって液密的に囲繞された状態でマチ部の内側に配置されている。したがって、吸水シートが吸収した水分が外部へ漏れることが確実に阻止される。なお、固定シートの他端縁部が縫い付けられた部分には縫い目が形成されるが、吸水シートが防水シートによって液密的に囲繞されていることから、この縫い目から水分が漏れることはない。
【００１２】
固定シートが撥水性を有していることから、吸水シートから固定シート側へ水分が浸透することも防止される。
【００１３】
また、固定シートは、防水シートによって覆われた吸水シートの側縁部から折り返されるようにして下着本体に固定される。したがって、吸水シートからの水分の漏れは、一層確実に阻止される。
【００１４】
(3) 上記吸水シートは、上記マチ部と略相似形に形成されるのが好ましい。さらに、上記吸水シートは、その裏面全体及び表面の周縁部が上記防水シートによって覆われているのが好ましい。この場合、上記吸水シートの前縁部及び後縁部は、上記下着本体に対して固定されていないのが好ましい。
【００１５】
この構成では、吸水シートの周縁部が防水シートによって覆われているので、吸水シートから水分が外部へ漏れることがより確実に阻止される。この場合、吸水シートの前縁部及び後縁部が下着本体に対して固定されていないから、吸水シートのより一層の液密性が確保されるうえに、吸水シートの前縁部及び後縁部を下着本体に固定するための工程が不要であり、下着の製造コストの上昇が抑制される。
【００１６】
(4) 上記吸水シートは、コアシート及びコアシートと共に積層されたアウターシートを含む多層構造を有しているのが望ましい。この場合、コアシートは、アウターシートと上記防水シートとの間に挿脱可能に挿入保持されていてもよい。
【００１７】
この構成では、複数枚のコアシートが重ね合わせられることによって、吸水シートは、多量の水分を吸収することができる。しかも、コアシートが挿脱可能であるから、水分を含んだコアシートが簡単に取り替えられる。これにより、下着の使用者は、当該下着を着替えることなく、常にさわやかな着心地が得られる。
【発明の効果】
【００１８】
本発明によれば、吸水シートが防水シートによって液密的にカバーされるので、吸水シートに吸収された水分が外部に漏れることはなく、したがって、当該下着は、高い横漏れ防止効果を発揮する。
【発明を実施するための最良の形態】
【００１９】
以下、適宜図面が参照されつつ、好ましい実施形態に基づいて本発明が詳細に説明される。
【００２０】
＜第１の実施形態＞
図１は、本発明の一実施形態に係る下着の斜視図である。
この下着１０は、特に失禁症状のある成人用のものである。下着１０は、縫製されており、下着本体１１と、これに取り付けられた吸水部材１２とを備えている。下着本体１１は、前身頃１３及び後身頃１４を有し、両者は縫い合わされている。なお、前身頃１３と後身頃１４とは、一体的に構成されていてもよい。前身頃１３と後身頃１４との境界部分は、マチ部１５を構成している。
【００２１】
本実施形態に係る下着１０の特徴とするところは、マチ部１５に上記吸水部材１２が設けられており、この吸水部材１２が後述される構造を備えることによって、失禁症状が起こった場合であっても、水分がマチ部１５の横方向、すなわち図中矢印Ｐの方向（面方向）に漏れてしまうことが確実に防止されるようになっている点である。以下、下着１０の構造について詳述される。
【００２２】
図２は、下着１０の要部拡大斜視図であり、上記マチ部１５の構造が図示されている。また、図３は、図２におけるIII−III断面図である。
【００２３】
下着本体１１は、例えば、綿、ナイロン及びポリエステル等により構成されている。前身頃１１及び後身頃１２は、予め所定寸法に裁断され、縫い合わされている。下着本体１１の腰部等には、縁取りテープ１８が取り付けられている（図１参照）。もっとも、この縁取りテープ１８は、省略されていてもよい。
【００２４】
図２が示すように、吸水部材１２は、マチ部１５に取り付けられている。本実施形態では、吸水部材１２は、マチ部１５と略同一形状（略相似形）に形成されており、マチ部１５の内面１７に固定されている。つまり、吸水部材１２は、その裏面１６がマチ部１５の内面１７と対向するように配置されている。
【００２５】
図３が示すように、吸水部材１２は、多層構造を有している。具体的には、吸水部材１２は、吸水シート１９と、防水シート２０と、固定シート２１とを備えている。吸水シート１９は、吸水性に優れる既知の材料から構成されている。この吸水シート１９は、単一の層である必要はなく、むしろ多層の保水層から構成されているのが好ましい。この吸水シート１９は、マチ部１５と略相似形に形成されており、マチ部１５の内面の略全部を覆っている。
【００２６】
防水シート２０は、水分の通過を阻止し得る既知の材料から構成されている。防水シート２０は、気体の通過を許容する通気性を備えていることが望ましい。防水シート２０は、吸水シート１９の裏面２２の全体を覆っている。防水シート２０の縁部２３、２４は、吸水シート１９の表面側に回り込んでいる。図３が示すように、この縁部２３、２４は、それぞれ、吸水シート１９の表面側の側縁部２５、２６を覆っている。
【００２７】
固定シート２１は、細長帯状に形成されており、吸水シート１９の側縁部２５、２６にそれぞれ取り付けられている。固定シート２１は、撥水性を有する既知の材料から構成されている。固定シート２１は、表面が撥水加工された布テープが採用されてもよい。一方の固定シート２１は、長手方向に沿う一端縁部２７が吸水シート１９の側縁部２５に沿って固定されており、他方の固定シート２１は、長手方向に沿う一端縁部２８が吸水シート１９の側縁部２６に沿って固定されている。
【００２８】
本実施形態では、一方の固定シート２１の一端縁部２７は、吸水シート１９の側縁部２５と、防水シート２０の縁部２３との間に挟み込まれている。同様に、他方の固定シート２１の一端縁部２８は、吸水シート１９の側縁部２６と、防水シート２０の縁部２４との間に挟み込まれている。そして、吸水シート１９の側縁部２５、固定シート２１の一端縁部２７及び防水シート２０の縁部２３は、縫い付けられて互いに固定されている。同様に、吸水シート１９の側縁部２６、固定シート２１の一端縁部２８及び防水シート２０の縁部２４は、縫い付けられて互いに固定されている。したがって、防水シート２０のうち吸水シート１９の裏面２２側に配置された部分には、縫い目が形成されていない。
【００２９】
吸水部材１２は、下着本体１１に縫い付けられている。具体的には、図３が示すように、上記固定シート２１は、その一端縁部２７、２８が前述のように縫い付けられた状態で（同図二点鎖線で示す状態）、防水シート２０縁部２３、２４を覆うように外側へ折り返されている。そして、固定シート２１の他端縁部２９、３０は、マチ部１５の縁部３１、３２に縫い付けられている。
【００３０】
この下着１０によれば、吸水シート１９は、その裏面２２の全体及び表面の側縁部２５、２６が防水シート２０により覆われている。このため、吸水シート１９がその表面から水分を吸収した場合であっても、吸水シート１９の裏面２２側から水分が外部に漏れることはない。また、吸水シート１９の側縁部２５、２６も防水シート２０によって覆われているので、吸水シート１９の側縁部２５、２６から水分が外部に漏れることはない。
【００３１】
ここで、防水シート２０の縁部２３、２４と吸水シート１９とが縫い付けられることによって縫い目が形成される。しかし、吸水シート１９の裏面２２の全体が防水シート２０によって覆われており、しかも防水シート２０のうち吸水シート１９の裏面２２側に配置された部分には縫い目が形成されていない。したがって、吸水シート１９が吸水した水分が防水シート２０を通って吸水シート１９の裏面２２側に漏れることはない。
【００３２】
このように、吸水シート１９は、防水シート２０によって液密的に囲繞された状態でマチ部１５の内側に配置されている。したがって、吸水シート１９が吸収した水分が外部へ漏れることが確実に阻止される。また、固定シート２１が下着本体１１に縫い付けられているが、吸水シート１９及び防水シート２０が下着本体１１に縫い付けられているわけではない。さらに、固定シート２１の他端縁部２９、３０が縫い付けられた部分には縫い目が形成されるが、吸水シート１９が防水シート２０によって液密的に囲繞されていることから、この縫い目から水分が漏れることはない。よって、この下着１０によれば、吸水シート１９に吸収された水分が外部に漏れることはなく、当該下着１０は、高い横漏れ防止効果を発揮する。
【００３３】
特に、本実施形態に係る下着１０では、固定シート２１が撥水性を有していることから、吸水シート１９から固定シート２１側へ水分が浸透することもない。また、固定シート２１は、図３が示すように、防水シート２０によって覆われた吸水シート１９の側縁部２５、２６から外側に折り返されるようにして下着本体１１に固定される。したがって、吸水シート１９からの水分の漏れは、一層確実に阻止されるという利点がある。
【００３４】
本実施形態では、図２が示すように、吸水シート１９の前縁部３３及び後縁部３４は、マチ部１５に固定されていないが、既知の固着手段により、マチ部１５に固定されていてもよい。
【００３５】
また、本実施形態では、図３が示すように、固定シート２１は、吸水シート１９と防水シート２０との間に挟み込まれているが、固定シート２１の一端縁部２７、２８は、防水シート２０の縁部２３、２４の上に固定されていてもよい。
【００３６】
さらに、本実施形態では、吸水部材１２がマチ部１５と略同一形状に形成され、吸水シート１９がマチ部１５の内面の略全体を覆っているが、吸水部材１２がマチ部１５の内側の全体を覆っていなくてもよい。要するに、吸水部材１２が十分な量の水分を吸収することができる吸水シートを備えていればよい。
【００３７】
また、本実施形態では、防水シート２０は、吸水シート１９の裏面２２の全体及び表面側の側縁部２５、２６のみを覆っているが、防水シート２０が吸水シート１９の裏面２２の全体及び表面の周縁部を覆っていてもよい。つまり、吸水シート１９の表面の縁部全体が防水シート２０によって囲繞されていてもよい。その場合、吸水シート１９の前縁部３３及び後縁部３４は、マチ部１５に固定されていなくてもよい。
【００３８】
この場合、吸水シート１９の上記周縁部が防水シート２０によって覆われているので、水分が上記前縁部３３及び後縁部３４から漏れることはない。したがって、吸水シート１９から水分が外部へ漏れることがより確実に阻止される。そして、上記前縁部３３及び後縁部３４が下着本体１１に固定されないことにより、下着１０の製造工程が簡略化され、下着１０の製造コストの上昇が抑制されるという利点もある。
【００３９】
＜第２の実施形態＞
次に、本発明の第２の実施形態について説明される。
図４は、本発明の第２の実施形態に係る下着４０の要部拡大斜視図である。この下着４０は、上記第１の実施形態に係る下着１０と同様に縫製されており、下着本体１１と、これに取り付けられた吸水部材４１とを備えている。下着本体１１は、第１の実施形態に係る下着１０と同様に、前身頃及び後身頃を有する。前身頃と後身頃との境界部分は、マチ部１５を構成している。同図は、このマチ部１５の構造を図示している。また、図５は、図４におけるＶ−Ｖ断面図である。
【００４０】
本実施形態に係る下着４０が上記第１の実施形態に係る下着１０と異なるところは、吸水部材４１の構造であり、この吸水部材４１は、多層構造を有する吸水シート４２を備えている点である。具体的には、吸水シート４２は、吸水性に優れるコアシート４３と、透水性に優れるアウターシート４４とを備えており、両者は、図５が示すように積層されている点、及びコアシート４３は、アウターシート４４と上記防水シート２０との間に挿脱可能に挿入されている点である。なお、その他の構成については、上記第１の実施形態に係る下着１０と同様である。
【００４１】
図５が示すように、アウターシート４４は、コアシート４３の上面側に配置されており、アウターシート４４の上面４５が吸水シート４２の表面を構成している。コアシート４３は、アウターシート４４と固着されておらず、両者は単に重ね合わされているだけである。本実施形態では、アウターシート４４の表面４５側の側縁部４６は、固定シート２１の一端縁部２７及び防水シート２０の縁部２３に縫い付けられて互いに固定されている。同様に、アウターシート４４の表面４５側の側縁部４７は、固定シート２１の一端縁部２８及び防水シート２０の縁部２４に縫い付けられて互いに固定されている。したがって、コアシート４３及び防水シート２０のうち吸水シート４２の裏面２２側に配置された部分には、縫い目が形成されていない。
【００４２】
コアシート４３とアウターシート４４とが固着されていないことから、コアシート４３は、防水シート２０とアウターシート４４との間に挿入されている。図４が示すように、アウターシート４４には、スリット４８が形成されている。したがって、防水シート２０とアウターシート４４との間に挿入されたコアシート４３は、このスリット４８から出し入れされ得る。なお、このスリット４８は、アウターシート４４の中央部に形成されているが、スリット４８は、アウターシート４４の他の位置に形成されていてもよい。また、このスリット４８は、アウターシート４４の中央部に形成されているが、アウターシート４４の両端部まで切り込まれていてもよい。要するに、スリット４８は、コアシート４３が出入可能な形状及び位置に設けられていればよい。
【００４３】
このように本実施形態に係る下着４０では、コアシート４３が防水シート２０とアウターシート４４との間に挿入され、又は取り外される。したがって、コアシート４３が水分を吸収した場合には、当該コアシート４３が簡単に取り替えられる。これにより、下着４０の使用者は、当該下着４０を着替えることなく、常にさわやかな着心地が得られるという利点がある。
【００４４】
なお、上記コアシート４３は、単一のシートである必要はなく、複数枚のコアシート４３が重ね合わされた多層構造を有していてもよい。その場合には、吸水シート４２は、多量の水分を吸収することができる。さらに、本実施形態では、アウターシート４４は、コアシート４３の上面側にのみ配置されているが、コアシート４３の下面側にも配置されていてもよい。つまり、コアシート４３がアウターシート４４によって上下に挟み込まれていてもよい。
【００４５】
また、本実施形態では、コアシート４３が防水シート２０とアウターシート４４との間に挿脱されるために上記スリット４８が設けられているが、このスリット４８が省略されていてもよい。その場合には、コアシート４３は、アウターシート４４の前縁部４９又は後縁部５０（図４参照）から挿脱され得る。ただし、この場合には、アウターシート４４の前縁部４９又は後縁部５０は、防水シート２０又はマチ部１５と固着されていないことが必要である。
【００４６】
なお、アウターシート４４の前縁部４９又は後縁部５０が防水シート２０又はマチ部１５と固着されていない場合であっても、上記第１の実施形態に係る下着１０と同様に、吸水シート４２が十分な吸水性を備えているので、水分が漏れることはない。もっとも、上記スリット４８が設けられる場合には、上記前縁部４９及び後縁部５０が上記マチ部１５に固着されていてもよいことは勿論である。
【産業上の利用可能性】
【００４７】
本発明は、失禁用の下着の他、下着一般に適用され得る。
【図面の簡単な説明】
【００４８】
【図１】図１は、本発明の一実施形態に係る下着の斜視図である。
【図２】図２は、下着１０の要部拡大斜視図である。
【図３】図３は、図２におけるIII−III断面図である。
【図４】図４は、本発明の第２の実施形態に係る下着の要部拡大斜視図である。
【図５】図５は、図４におけるＶ−Ｖ断面図である。
【符号の説明】
【００４９】
１０・・・下着
１１・・・下着本体
１２・・・吸水部材
１５・・・マチ部
１６・・・裏面
１７・・・内面
１９・・・吸水シート
２０・・・防水シート
２１・・・固定シート
２２・・・吸水シートの裏面
２３・・・防水シートの縁部
２４・・・防水シートの縁部
２５・・・吸水シートの表面側の側縁部
２６・・・吸水シートの表面側の側縁部
２７・・・固定シートの一端縁部
２８・・・固定シートの一端縁部
２９・・・固定シートの他端縁部
３０・・・固定シートの他端縁部
３１・・・マチ部の縁部
３２・・・マチ部の縁部
３３・・・前縁部
３４・・・後縁部
４０・・・下着
４１・・・吸水部材
４２・・・吸水シート
４３・・・コアシート
４４・・・アウターシート
４５・・・アウターシートの表面
４６・・・アウターシートの表面側の側縁部
４７・・・アウターシートの表面側の側縁部
４８・・・スリット
４９・・・前縁部
５０・・・後縁部
【要約】
【課題】優れた横漏れ防止機能を発揮する失禁用下着の提供。
【解決手段】この下着は、特に失禁症状のある成人用のものである。下着１０は、下着本体１１と、吸水部材１２とを備える。吸水部材１２は、下着本体１１のマチ部１５に取り付けられている。吸水部材１２は、吸水シート１９と、防水シート２０と、固定シート２１とを備えている。吸水シート１９は、マチ部１５の略全体を覆う。防水シート２０は、吸水シート１９の裏面２２及び表面の側縁部２５、２６を覆う。この側縁部２５、２６に固定シート２１が設けられている。固定シート２１は、吸水シート１９及び防水シート２０を下着本体１１に固定する。
【選択図】図２
【図１】
0003718213.tif 000002
【図２】
0003718213.tif 000003
【図３】
0003718213.tif 000004
【図４】
0003718213.tif 000005
【図５】
0003718213.tif 000006